(57)【要約】      （修正有）【課題】静脈還流を制限しながら、四肢の筋肉を増強する運動を行っても、神経を圧迫することに基づく痛みを伴うことなく運動を続けることができる静脈還流制限カフを提供する。【解決手段】伸縮し難い布製のチューブ１と、この布製のチューブ１の両端同士を固定してループを形成するための平坦部１５に設けた固定手段と、この布製のチューブ１の中間部に挿入したゴム製チューブ２と、このゴム製チューブ２に空気を出し入れする栓２１とを具備し、四肢の付け根に巻き付けてゴム製チューブ２に空気を入れて膨らませたときに、布製のチューブ１にゴム製チューブ２が存在しない部分を形成し、このゴム製チューブ２が存在しない部分を表皮近傍に存在する神経の部位に合わせて使用するものである。【選択図】図２
2011255148.tif 000002
【特許請求の範囲】
【請求項１】
伸縮し難い布製のチューブと、
該布製のチューブの中間部に挿入した布製のチューブより短いゴム製チューブと、
該布製のチューブの両端同士を固定してループを形成する固定手段と、
該ゴム製チューブに空気を出し入れする栓と、
を具備し、四肢の付け根に巻き付けてゴム製チューブに空気を入れて膨らませたときに、上記固定手段おいて上記布製のチューブにゴム製チューブが存在しない部分を形成することを特徴とする静脈還流制限カフ。
【請求項２】
中間部に縫い目により平坦部を形成した伸縮し難い布製のチューブと、
該布製のチューブの両端より挿入した２つのゴム製チューブと、
該布製のチューブの両端同士を固定してループを形成する固定手段と、
該ゴム製チューブに空気を出し入れする栓と、
を具備し、四肢の付け根に巻き付けて上記２つのゴム製チューブに空気を入れて膨らませたときに、上記布製のチューブの中間部においてゴム製チューブが存在しない平坦部を形成することを特徴とする静脈還流制限カフ。
【請求項３】
一端部を閉じた伸縮し難い２つの布製のチューブと、
該２つの布製のチューブの他端側よりそれぞれ挿入した２つのゴム製チューブと、
該２つのゴム製チューブに空気を出し入れする栓と、
上記２つの布製のチューブの他端側を閉じて形成した平坦部に設けた固定手段と、
上記２つの布製のチューブの閉じた一端部同士を間隔をあけて連結する連結部と、
を具備し、四肢の付け根に巻き付けて上記２つのゴム製チューブに空気を入れて膨らませたときに、上記２つの布製のチューブの連結部においてゴム製チューブが存在しない平坦部を形成することを特徴とする静脈還流制限カフ。
【発明の詳細な説明】
【技術分野】
【０００１】
この発明は、静脈還流をカフにより制限しながら、運動を行って四肢の筋肉を増強するために用いる静脈還流制限カフに関する。
【背景技術】
【０００２】
増強させようとする四肢の筋肉に対して、筋肉の心臓に近い側に静脈還流を制限する締付力を付与してその締付力を調整し、静脈還流を制限した状態において運動を行って筋肉に疲労を生じさせることにより、短時間で効率よく筋肉の増強を行う筋肉トレーニング方法が従来より実施されている。
【０００３】
この筋肉トレーニング方法においては、袋状に形成されたベルトの中に邪魔板とゴム製のチューブを設けた締付具を使用し、この締付具を四肢の筋肉の心臓に近い側に巻付けて固定した状態において、チューブに空気を送り込むことにより所望の加圧力を発生させて、筋肉の心臓に近い側に締付力を与えて血流を制限しながら運動することが、下記特許文献１に開示されている。
【先行技術文献】
【特許文献】
【０００４】
【特許文献１】特開平１０−８５３６１号公報
【発明の概要】
【発明が解決しようとする課題】
【０００５】
従来の筋肉増強器具においては、ベルト状の緊締具の内側にゴム製チューブを設けた構造であり、緊締具を筋肉の所定の部位に巻き付けて、マジックテープ（登録商標）などの固定手段によって固定してループを形成したのち、チューブに空気を送り込むことにより筋肉を締め付けて筋肉に加圧力を与え、血流を制限した状態で運動するものである。
【０００６】
このような従来の筋肉増強器具においては、四肢の付け根に巻き付けたときに、ゴム製のチューブが、ほぼ四肢の全周を覆うような長さに設定されている。
【０００７】
大腿の股に近い部位には、外側大腿皮神経、座骨神経、後大腿皮神経、閉鎖神経などが通っており、特に、外側大腿皮神経は、図９の断面図に示すように、前寄りの表皮近傍に存在する。
【０００８】
また、上腕の脇に近い部位にも、筋皮神経、正中神経、内側前腕皮神経、内側上腕皮神経、尺骨神経、撓骨神経などが通っており、特に、内側前腕皮神経は、図９の断面図に示すように、内側の表皮近傍に存在する。
【０００９】
ゴム製チューブの空気圧により大腿の付け根または上腕の脇に近い部位の全周を加圧した状態で運動すると、外側大腿皮神経または内側前腕皮神経が痛くなるので短時間しか運動をすることができなかった。
【００１０】
そこで、この発明は、静脈還流を制限しながら四肢の筋肉を増強する運動を行っても、神経を圧迫することに基づく痛みを伴うことがなく、運動を続けることがっできる静脈還流制限カフを提供することを目的として考えられたものである。
【課題を解決するための手段】
【００１１】
この発明の静脈還流制限カフの第１実施形態は、伸縮し難い布製のチューブと、この布製のチューブの中間部に挿入した布製のチューブより短いゴム製チューブと、この布製のチューブの両端同士を固定してループを形成する固定手段と、このゴム製チューブに空気を出し入れする栓とを具備し、四肢の付け根に巻き付けてゴム製チューブに空気を入れて膨らませたときに、上記固定手段おいて上記布製のチューブにゴム製チューブが存在しない部分を形成し、このゴム製チューブが存在しない部分を表皮近傍に存在する神経の部位に合わせるものである。
【００１２】
この発明の静脈還流制限カフの第２実施形態は、中間部に縫い目により平坦部を形成した伸縮し難い布製のチューブと、この布製のチューブの両端より挿入した２つのゴム製チューブと、この布製のチューブの両端同士を固定してループを形成する固定手段と、このゴム製チューブに空気を出し入れする栓とを具備し、四肢の付け根に巻き付けて上記２つのゴム製チューブに空気を入れて膨らませたときに、上記布製のチューブの中間部においてゴム製チューブが存在しない平坦部を形成し、このゴム製チューブが存在しない部分を表皮近傍に存在する神経の部位に合わせるものである。
【００１３】
この発明の静脈還流制限カフの第３実施形態は、一端部を閉じた伸縮し難い２つの布製のチューブと、これら２つの布製のチューブの他端側よりそれぞれ挿入した２つのゴム製チューブと、これら２つのゴム製チューブに空気を出し入れする栓と、上記２つの布製のチューブの他端側を閉じて形成した平坦部に設けた固定手段と、上記２つの布製のチューブの閉じた一端部同士を間隔をあけて連結する連結部とを具備し、四肢の付け根に巻き付けて上記２つのゴム製チューブに空気を入れて膨らませたときに、上記２つの布製のチューブの連結部においてゴム製チューブが存在しない平坦部を形成し、このゴム製チューブが存在しない部分を表皮近傍に存在する神経の部位に合わせるものである。
【発明の効果】
【００１４】
この発明の静脈還流制限カフを四肢の付け根に近い部位に巻き付けて使用しても、表皮近傍に存在する神経を圧迫することがないので、神経の圧迫に基づく神経の痛みを生じることなく、長時間の運動が可能であるという効果を奏することができる。
【図面の簡単な説明】
【００１５】
【図１】この発明の静脈還流制限カフの第１実施形態の側面図（ａ）、平面図（ｂ）およびゴム製チューブに空気を入れた状態を示す平面図（ｃ）、
【図２】第１実施形態のカフを四肢の付け根に近い部位に巻き付けた状態を示す断面図、
【図３】この発明の静脈還流制限カフの第２実施形態の側面図（ａ）および平面図（ｂ）、
【図４】第２実施形態のカフを四肢の付け根に近い部位に巻き付けた状態を示す断面図、
【図５】この発明の静脈還流制限カフの第３実施形態の側面図（ａ）および平面図（ｂ）、
【図６】第３実施形態のカフを四肢の付け根に近い部位に巻き付けた状態を示す断面図、
【図７】この発明の静脈還流制限カフの第４実施形態の側面図（ａ）および平面図（ｂ）、
【図８】第４実施形態のカフを四肢の付け根に近い部位に巻き付けた状態を示す断面図、
【図９】人体の四肢の付け根に近い部位の要部を示す断面図である。
【発明を実施するための形態】
【００１６】
（第１実施形態）
この発明の静脈還流制限カフの第１実施形態は、図１の側面図（ａ）および平面図（ｂ）に示すように、伸縮し難い布製のチューブ１と、この布製のチューブ１の中間部に挿入したゴム製チューブ２と、このゴム製チューブ２に空気を出し入れする栓21とを備え、布製のチューブ１にゴム製チューブ２を挿入したのち、布製のチューブ１の両端部を縫目12により閉じて平坦部15を形成している。この平坦部15には、布製チューブ１の両端同士を固定してループを形成するためのマジックテープ（登録商標）のフック面11Aおよびループ面11Bよりなる固定手段11が貼り付けられている。
【００１７】
この発明の静脈還流制限カフにおいては、ゴム製チューブ２の長さを布製のチューブ１の長さよりも短く設定されているので、布製のチューブ１でループを形成しない状態においてゴム製のチューブ２に空気を入れて膨らませると、図１の平面図（ｃ）に示すように、ゴム製のチューブ２が棒状になって布製のチューブ１の中に収まっている。
【００１８】
この静脈還流制限カフを四肢の付け根に巻き付けて固定手段11により布製のチューブ１の両端同士を固定してループを形成したのち、ゴム製のチューブ２に空気を入れると、布製のチューブ１の内円周（皮膚に接している部分）の長さと外円周（外側の部分）の長さはほぼ同じであるから、皮膚に接していない布製チューブ１の外円周の長さは殆ど伸びることができず、制限されている。
【００１９】
しかし、皮膚に接している布製チューブ１の内円周の長さはには余裕があるので、図２の断面図に示すように、ゴム製のチューブ２は、内側に向かって膨らんで、巻き付けた四肢の付け根を締め付けて、静脈還流を制限することができる。
【００２０】
このとき、四肢の付け根に近い部位の要部を図２の断面図に示すように、ゴム製チューブ２の長さが、布製のチューブ１の長さよりも短かく設定されているので、このゴム製チューブ２を挿入した布製のチューブ１でループを形成しても、一部分にゴム製チューブ２が存在しない布製のチューブの平坦部15のみが形成される。
【００２１】
このゴム製チューブ２が存在しない部分を、表皮近くに存在する上腕の内側前腕皮神経または大腿部の外側大腿皮神経の部位に合わせると、ゴム製チューブ２によって表皮近くに存在する神経を圧迫することはないのである。
【００２２】
このように構成した静脈還流制限カフにより静脈還流を制限しながら、四肢の筋肉を増強する運動を行っても、神経を圧迫することがないので痛みを伴うことなく運動を続けることができる。
【００２３】
（第２実施形態）
この発明の静脈還流制限カフの第２実施形態は、図３の側面図（ａ）および平面図（ｂ）に示すように、中間部に縫い目12により平坦な部分13を形成した伸縮し難い布製のチューブ１と、この布製のチューブ１の両側から挿入した２つのゴム製チューブ2A、2Bと、これらのゴム製チューブ2A、2Bにそれぞれ設けた空気を入れる栓21と、布製チューブ１の一端に設けたバックル14と、布製チューブ１の他端に縫い目12により形成した平坦部15と、この平坦部15に形成したマジックテープ（登録商標）のフック面11Aと、中間部の平坦な部分13および２つのゴム製チューブ2A、2Bを包む布製チューブ１の表面にわたって形成したマジックテープ（登録商標）のループ面11Bとにより構成される。
【００２４】
各ゴム製チューブ2A、2Bの栓21に接続したチューブ22、22および分岐23を介して両ゴム製チューブ2A、2Bを連通し、分岐23および栓24を経て空気を出し入れする。
【００２５】
この第２実施形態の静脈還流制限カフを四肢の付け根に巻き付ける際には、布製チューブ１の一端のバックル14に、布製チューブ１の他端の平坦部15を挿通して引っ張るとループを形成することができる。
【００２６】
緩く締め付けて平坦部15のフック面11Aを平坦な部分13および２つのゴム製チューブ2A、2Bを包む布製チューブ１の表面に形成されたループ面11Bに押し付けて固定する。このとき、ゴム製チューブ２が存在しない平坦な部分13を、表皮近くに存在する上腕の内側前腕皮神経または大腿部の外側大腿皮神経の部位に合わせておく。
【００２７】
そして、ゴム製チューブ2A、2Bに空気を入れると、図４の断面図に示すように、ゴム製チューブ２が存在しない平坦な部分13により、表皮近くに存在する上腕の内側前腕皮神経または大腿部の外側大腿皮神経を圧迫することはないのである。
【００２８】
（第３実施形態）
この発明の静脈還流制限カフの第３実施形態は、図５の側面図（ａ）および平面図（ｂ）に示すように、分割した２つの伸縮し難い布製のチューブ1A、1Bを作り、これら２つの布製のチューブ1A、1Bの一端部に形成した鳩目またはループに紐16をジグザグに挿通して間隔を調整できるように連結したものである。
【００２９】
２つの布製のチューブ1A、1Bの他端側からそれぞれ挿入した２つのゴム製チューブ2A、2Bと、これらのゴム製チューブ2A、2Bにそれぞれ設けた空気を出し入れする栓21と、布製チューブ1Aの他端側に設けたバックル14と、布製チューブ1Bの他端側に縫い目12により形成した平坦部15と、この平坦部15に貼り付けたマジックテープ（登録商標）のフック面11Aと、２つのゴム製チューブ2A、2Bが存在する布製のチューブ1A、1Bの表面に貼り付けたマジックテープ（登録商標）のループ面11Bとにより構成される。
【００３０】
この第３実施形態の静脈還流制限カフを使用する人の四肢の太さに合わせて紐16の長さを変えて布製のチューブ1A、1Bの間隔を調整して、第２実施形態と同様に四肢の付け根に巻き付けて使用する。なお、この紐16に代えて弾力性を有するゴム紐などを使用してもよいのである。
【００３１】
図６の断面図に示すように、ゴム製チューブ2A、2Bが存在しない紐16の部分を、表皮近くに存在する上腕の内側前腕皮神経または大腿部の外側大腿皮神経を合わせて、ゴム製チューブ2A、2Bに空気を入れると、表皮近くの神経を圧迫することはないのである。
【００３２】
（第４実施形態）
この発明の静脈還流制限カフの第４実施形態は、図７の側面図（ａ）、（ｂ）および平面図（ｃ）に示すように、分割した２つの伸縮し難い布製のチューブ1A、1Bを作り、これら２つの布製のチューブ1A、1Bの表面にマジックテープ（登録商標）のループ面11Bを形成する。そして、２つの布製のチューブ1A、1Bのそれぞれにゴム製チューブ2A、2Bを挿入する。
【００３３】
図７の側面図（ａ）に示すように、ゴム製チューブ2A、2Bを挿入した布製のチューブ1A、1Bを連結する手段として、表面にマジックテープ（登録商標）のループ面11Bを形成し、裏面にマジックテープ（登録商標）のフック面11Aを形成した布製の連結シート３を使用する。なお、このシート３に代えて弾力性を有するゴムを編み込んだシートなどを使用してもよいのである。
【００３４】
そして、図７の側面図（ｂ）に示すように、使用する人の四肢の太さに合わせて布製のチューブ1A、1Bの間隔をあけて直線状に並べ、布製の連結シート３のフック面11Aを押し付けると連結することができる。
【００３５】
この第４実施形態の静脈還流制限カフを第２実施形態と同様に四肢の付け根に巻き付けて使用する。図８の断面図に示すように、ゴム製チューブ2A、2Bが存在しない連結シート３の部分を表皮近くに存在する上腕の内側前腕皮神経または大腿部の外側大腿皮神経を合わせて、ゴム製チューブ2A、2Bに空気を入れると、表皮近くの神経を圧迫することはないのである。
【００３６】
この第４実施形態の静脈還流制限カフにおいて、布製チューブ1Aの一端のバックル14に、布製チューブ1Bの他端の平坦部15を挿通してループを形成したとき、余分に突出した平坦部15のフック面11Aは、連結シート３のループ面11Bに固定することができる。
【符号の説明】
【００３７】
１、1A、1B  布製のチューブ
２  2A、2B  ゴム製チューブ
３  連結シート
11  固定手段
11A  フック面
11B  ループ面
12  縫い目
13  平坦な部分
14  バックル
15  平坦部
16  紐
21  栓
【図１】
2011255148.tif 000003
【図２】
2011255148.tif 000004
【図３】
2011255148.tif 000005
【図４】
2011255148.tif 000006
【図５】
2011255148.tif 000007
【図６】
2011255148.tif 000008
【図７】
2011255148.tif 000009
【図８】
2011255148.tif 000010
【図９】
2011255148.tif 000011